(57)【要約】      （修正有）【課題】画像データの管理に関する汎用性を向上させる画像処理装置を提供する。【解決手段】入力された画像データを管理するための画像処理装置１００であって、画像データから抽出された一又は複数の管理情報１０から画像コード１１２を生成するか否かを判定する判定部と、判定部の判定結果に応じて、一又は複数の管理情報から画像コードを生成する画像コード生成部と、画像データと画像コードとを対応付けて記憶部に格納する蓄積制御部とを有する。【選択図】図１
2016111558.tif 000002
【特許請求の範囲】
【請求項１】
入力された画像データを管理するための画像処理装置であって、
前記画像データから抽出された一又は複数の管理情報から画像コードを生成するか否かを判定する判定部と、
前記判定部の判定結果に応じて、前記一又は複数の管理情報から画像コードを生成する画像コード生成部と、
前記画像データと前記画像コードとを対応付けて記憶部に格納する蓄積制御部と、を有する画像処理装置。
【請求項２】
前記一又は複数の管理情報のうち、前記画像コードとされた情報以外の情報から書誌情報を生成する書誌情報生成部を有し、
前記蓄積制御部は、
前記画像コードと前記画像データに、前記書誌情報を対応付ける請求項１記載の画像処理装置。
【請求項３】
前記判定部は、
自機に設定されたセキュリティレベルが所定値より高いか否かを判定するセキュリティレベル判定部であり、
前記画像コード生成部は、
前記セキュリティレベルが所定値より高いと判定されたとき、前記画像コードを生成する請求項１又は２記載の画像処理装置。
【請求項４】
前記判定部は、
前記画像データに対してＯＣＲ処理を実行して得た文字データに、予め設定された所定項目の情報が含まれるか否かを判定するＯＣＲ判定部を有し、
前記画像コード生成部は、
前記文字データに前記所定項目の情報が含まれるとき、前記所定項目の情報を含む前記画像コードを生成する請求項１又は２記載の画像処理装置。
【請求項５】
前記判定部は、
前記画像データに含まれる地紋データを検出する地紋検出部であり、
前記画像コード生成部は、
前記地紋データが検出されたとき、前記画像コードを生成する請求項１又は２記載の画像処理装置。
【請求項６】
前記画像コード生成部は、
前記画像コードに、前記画像データの表示が禁止されていることを示す情報を含ませる請求項５記載の画像処理装置。
【請求項７】
前記画像データに含まれる画像コードを検出するコード検出部を有し、
前記蓄積制御部は、
前記コード検出部により画像コードが検出されたとき、
前記書誌情報と、前記画像データから検出された前記画像コードとを前記画像データと対応付ける請求項２記載の画像処理装置。
【請求項８】
前記画像コードは、
前記画像データを作成したユーザの個人情報を含む請求項２乃至７の何れか一項に記載の画像処理装置。
【請求項９】
前記一又は複数の管理情報は、前記画像データから所定のフォーマットに従って抽出された情報である請求項１乃至８の何れか一項に記載の画像処理装置。
【請求項１０】
入力された画像データを管理するための画像処理装置において実行される画像管理プログラムであて、前記画像処理装置に、
前記画像データから抽出された一又は複数の管理情報から画像コードを生成するか否かを判定する処理と、
判定結果に応じて、前記一又は複数の管理情報から画像コードを生成する処理と、
前記画像データと前記画像コードとを対応付けて記憶部に格納する処理と、を実行させる画像管理プログラム。
【請求項１１】
画像データが入力される画像処理装置と、前記画像データを管理するための画像管理サーバと、を有する画像管理システムであって、
前記画像データから抽出された一又は複数の管理情報から画像コードを生成するか否かを判定する判定部と、
前記判定部の判定結果に応じて、前記一又は複数の管理情報から画像コードを生成する画像コード生成部と、
前記画像データと前記画像コードとを対応付けて記憶部に格納する蓄積制御部と、を有する画像管理システム。
【発明の詳細な説明】
【技術分野】
【０００１】
本発明は、画像処理装置、画像管理プログラム及び画像管理システムに関する。
【背景技術】
【０００２】
従来の画像処理装置等では、画像データが入力されると、画像データに関連する画像の管理情報を生成し、画像データと管理情報とを対応付けて蓄積することで、画像データの管理を行うことが知られている。
【０００３】
従来の画像処理装置において、画像の管理用情報とは、例えばＨＴＭＬドキュメント、ユーザイーフェイスの情報等である（特許文献１）。
【発明の概要】
【発明が解決しようとする課題】
【０００４】
従来の画像処理装置では、画像データの管理情報を生成する際、画像データに含まれる情報を予め与えられたフォーマットに格納して管理情報とする。したがって、従来では、例えば管理情報における項目の追加や削除等、管理情報の項目を変更する場合には、その都度フォーマットを変更しなければならず、汎用性に乏しい。
【０００５】
開示の技術は、上記事情に鑑みて、これを解決すべく成されたものであり、画像データの管理に関する汎用性を向上させることを目的としている。
【課題を解決するための手段】
【０００６】
開示の技術は、画像データを管理するための画像処理装置であって、前記画像データから抽出された一又は複数の管理情報から画像コードを生成するか否かを判定する判定部と、前記判定部の判定結果に応じて、前記一又は複数の管理情報から画像コードを生成する画像コード生成部と、前記画像データと前記画像コードとを対応付けて記憶部に格納する蓄積制御部と、を有する。
【発明の効果】
【０００７】
画像データの管理に関する汎用性を向上させる。
【図面の簡単な説明】
【０００８】
【図１】第一の実施形態の画像処理装置を説明する図である。
【図２】画像処理装置のハードウェア構成の一例を示す図である。
【図３】画像処理装置のソフトウェア構成を示す図である。
【図４】第一の実施形態の画像管理部の機能構成を説明する図である。
【図５】第一の実施形態の設定テーブルを説明する図である。
【図６】第一の実施形態の画像管理部の処理を説明するフローチャートである。
【図７】第二の実施形態の画像管理部の機能構成を説明する図である。
【図８】第二の実施形態の画像管理部の動作を説明するフローチャートである。
【図９】第三の実施形態の画像管理部の機能構成を説明する図である。
【図１０】第三の実施形態の画像管理部の動作を説明するフローチャートである。
【図１１】第四の実施形態の画像管理部の機能構成を説明する図である。
【図１２】第四の実施形態の画像管理部の動作を説明するフローチャートである。
【図１３】第五の実施形態の画像管理システムの一例を示す図である。
【発明を実施するための形態】
【０００９】
以下の実施形態では、画像データと対応付けて保存する画像データの管理用情報に画像コードを含ませることで、管理用情報を生成する際の所定のフォーマットへの依存性を低くし、画像データの管理に関す汎用性を向上させる。
（第一の実施形態）
以下に図面を参照して本実施形態の第一の実施形態について説明する。図１は、第一の実施形態の画像処理装置を説明する図である。
【００１０】
本実施形態の画像処理装置１００は、画像管理プログラム１１０がインストールされている。本実施形態の画像処理装置１００は、画像データＧ１が入力されると、画像管理プログラム１１０を実行し、画像データＧ１の管理用情報１０を生成する。そして画像処理装置１００は、画像データＧ１と管理用情報１０とを対応付けて、画像管理データベース２００へ格納する。
【００１１】
本実施形態では、このように、画像データＧ１と管理用情報１０とを対応付けて保管することで、画像処理装置１００が過去に取得した各種の画像や文書等を管理する。
【００１２】
また、本実施形態の管理用情報１０は、書誌情報１１１と画像コード１１２とを含む。すなわち本実施形態の画像処理装置１００は、管理用情報１０の一部を画像コード１１２としている。
【００１３】
以下に、図２を参照して本実施形態の画像処理装置１００のハードウェア構成について説明する。図２は、画像処理装置のハードウェア構成の一例を示す図である。
【００１４】
本実施形態の画像処理装置１００は、それぞれバスＢで相互に接続されているスキャナ装置１１、プロッタ装置１２、ドライブ装置１３、補助記憶装置１４、メモリ装置１５、演算処理装置１６、インターフェース装置１７及び表示操作装置１８を有する。
【００１５】
スキャナ装置１１は、例えば原稿等の画像を読み取って、画像データを入力する。プロッタ装置１２は、画像データを印刷出力するものである。インターフェース装置１７は、モデム，ＬＡＮカード等を含み、ネットワークに接続する為に用いられる。表示操作装置１８は、画像処理装置１００の操作を行うタッチパネル等であり、表示機能を有している。
【００１６】
本実施形態の画像管理プログラム１１０は、画像処理装置１００を制御する各種プログラムの少なくとも一部である。画像管理プログラム１１０は例えば記録媒体１９の配布やネットワークからのダウンロードなどによって提供される。画像管理プログラム１１０を記録した記録媒体１９は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００１７】
また画像管理プログラム１１０を記録した記録媒体１９がドライブ装置１３にセットされると、画像管理プログラム１１０は記録媒体１９からドライブ装置１３を介して補助記憶装置１４にインストールされる。ネットワークからダウンロードされた画像管理プログラム１１０は、インターフェース装置１７を介して補助記憶装置１４にインストールされる。
【００１８】
補助記憶装置１４は、例えばＨＤＤ（Hard Disk Drive）等であり、インストールされた画像管理プログラム１１０を格納すると共に、必要なファイル、データ等を格納する。メモリ装置１５は、コンピュータの起動時に補助記憶装置１４から画像管理プログラムを読み出して格納する。そして、演算処理装置１６はメモリ装置１５に格納された画像管理プログラムに従って、後述するような各種処理を実現している。
【００１９】
図３は、画像処理装置のソフトウェア構成を示す図である。本実施形態の画像処理装置１００は、ユーザとのインターフェースをつなぐアプリ層３１、機能を提供するサービス層３２、ソフトウェアを駆動するＯＳ（Operating System）層３３に分かれている。ＯＳ層３３の下には、エンジン(Scan/Plot)３４を備え、エンジン層３４がハードウェアリソース３５を制御する。
【００２０】
本実施形態の画像処理装置１００では、サービス層３２に画像管理部３００を有し、ハードウェアリソース３５を使用して、画像コード１１２を利用した画像データの管理を行う。本実施形態の画像管理部３００は、画像処理装置の演算処理装置１６が画像管理プログラム１１０を実行することで実現される機能部である。
【００２１】
本実施形態の画像管理部３００は、画像データから画像コード１１２を含む管理用情報１０を生成し、画像データと管理用情報１０とを対応付けてハードウェアリソース３５に含まれるＨＤＤに格納する。本実施形態では、例えば、ＨＤＤに画像管理データベース２００が設けられていても良い。また、本実施形態では、ＨＤＤに、画像コード１１２を生成する際に参照される設定テーブル２１０が格納されていても良い。設定テーブル２１０の詳細は後述する。
【００２２】
次に、図４を参照して本実施形態の画像管理部３００の機能構成について説明する。図４は、第一の実施形態の画像管理部の機能構成を説明する図である。
【００２３】
本実施形態の画像管理部３００は、画像処理装置１００の設定等おいて、セキュリティレベルが所定のレベルより高く設定されていた場合に、画像データから所定のフォーマットに従って抽出した管理情報から、画像コードを生成する。所定のフォーマットとは、例えば画像処理装置１００の機種等に応じて与えられており、設定テーブル２１０に設定された項目を有する。
【００２４】
本実施形態の画像管理部３００は、画像データ取得部３１０、セキュリティ判定部３２０、書誌情報生成部３３０、設定項目取得部３４０、画像コード生成部３５０、蓄積制御部３６０を有する。
【００２５】
画像データ取得部３１０は、入力された画像データを取得する。セキュリティ判定部３２０は、画像処理装置１００に設定されたセキュリティレベルが所定のレベル以上であるか否かを判定する。本実施形態のセキュリティレベルとは、画像処理装置１００で設定されるセキュリティの水準を示すものである。言い換えれば、セキュリティレベルとは、セキュリティの強度をいくつかのレベルに分け、それぞれに条件を規定したものである。
【００２６】
書誌情報生成部３３０は、設定テーブル２１０に設定された項目を有する所定のフォーマットに基づき、画像データから抽出した管理情報のうち、画像コードとされていない情報を書誌情報１１１とする。本実施形態の書誌情報１１１は、画像データに関する情報である。書誌情報１１１の詳細は後述する。
【００２７】
設定項目取得部３４０は、設定テーブル２１０を参照し、管理情報のうち、画像コード１１２に含ませる情報の項目を取得する。画像コード生成部３５０は、設定項目取得部３４０により取得された項目の情報を含む画像コードを生成する。本実施形態の画像コード１１２とは、例えばＱＲコード（登録商標）等の二次元コードである。
【００２８】
蓄積制御部３６０は、生成した書誌情報１１１と、画像コード１１２と、を画像データ取得部３１０が取得した画像データの管理用情報１０とし、画像データと管理用情報１０とを対応付けて画像管理データベース２００へ格納する。
【００２９】
以下に、図５を参照して本実施形態の設定テーブル２１０について説明する。図５は、第一の実施形態の設定テーブルを説明する図である。
【００３０】
本実施形態の設定テーブル２１０は、フォーマットテーブル２１０Ａと、コード化項目テーブル２１０Ｂとを有する。
【００３１】
本実施形態のフォーマットテーブル２１０Ａは、画像データから管理情報を抽出する際に用いられるフォーマットであり、画像処理装置１００の機種等に応じて予め与えられている。
【００３２】
図５に示すフォーマットテーブル２１０Ａは、情報の項目として、項目と、情報の種類と、を有する。本実施形態では、例えば項目「１」が示す情報の種類は、画像の縦幅である。また、項目「２」が示す情報の種類は、画像の横幅である。
【００３３】
図５に示すフォーマットテーブル２１０Ａは、項目「１２」まで有する例を示したが、フォーマットテーブル２１０Ａが有する項目の数は、これに限定されない。
【００３４】
本実施形態のコード化項目テーブル２１０Ｂは、画像コード化する項目を示している。本実施形態では、画像コード化する項目として、例えば画像データを入力したユーザに関する情報等が設定される。
【００３５】
図５に示すコード化項目テーブル２１０Ｂでは、項目９〜１２が、画像コード１１２に含ませる情報であることを示している。また、この場合、項目１〜８が、書誌情報１１１に含ませる情報となる。
【００３６】
項目「１０」が示す情報は画像データのファイル名である。また、項目「１１」が示す情報は、画像データを入力したユーザのユーザ名であり、項目「１２」が示す情報は、画像データのファイル作成日時である。項目「１０」〜「１２」が示す情報は、ユーザに関する情報と言える。
【００３７】
尚、本実施形態では、フォーマットテーブル２１０Ａに含まれる項目の一部をコード化項目テーブル２１０Ｂに設定するものとしたが、これに限定されない。コード化項目テーブル２１０Ｂには、フォーマットテーブル２１０Ａに含まれる全ての項目が設定されていても良い。この場合、管理用情報１０は、書誌情報１１１を含まず、画像コード１１２のみとなる。
【００３８】
次に、図６を参照し、本実施形態の画像処理装置１００の画像管理部３００の処理について説明する。図６は、第一の実施形態の画像管理部の処理を説明するフローチャートである。
【００３９】
本実施形態の画像処理装置１００は、画像管理部３００の画像データ取得部３１０により、画像データの入力を受け付ける（ステップＳ６１）。続いて、画像管理部３００は、セキュリティ判定部３２０により、画像処理装置１００に設定されているセキュリティのレベルを参照する（ステップＳ６２）。
【００４０】
続いて、画像管理部３００は、セキュリティ判定部３２０により、画像処理装置１００に設定されているセキュリティレベルが所定の値より高いか否かを判定する（ステップＳ６３）。
【００４１】
ステップＳ６３において、セキュリティレベルが所定の値以下である場合、画像管理部３００は、フォーマットテーブル２１０Ａを参照し、フォーマットテーブル２１０Ａにしたがった管理情報を生成する（ステップＳ６４）。
【００４２】
ステップＳ６３において、セキュリティレベルが所定の値より高い場合、画像管理部３００は、書誌情報生成部３３０により書誌情報１１１を生成し、画像コード生成部３５０により画像コード１１２を生成し、両者を対応付けて管理用情報１０とする（ステップＳ６５）。
【００４３】
以下にステップＳ６５の処理の詳細を説明する。
【００４４】
本実施形態の画像管理部３００は、書誌情報生成部３３０により、フォーマットテーブル２１０Ａにおいて、コード化項目テーブル２１０Ｂに設定された項目以外の項目の情報を取得し、フォーマットに格納して書誌情報１１１とする。
【００４５】
また、画像管理部３００は、設定項目取得部３４０により、コード化項目テーブル２１０Ｂからコード化の対象とされた項目を取得し、画像コード生成部３５０により、取得した項目の情報を含む画像コード１１２を生成する。
【００４６】
続いて画像管理部３００は、蓄積制御部３６０により、画像データと管理情報又は管理用情報１０とを対応付けて画像管理データベース２００に格納する（ステップＳ６６）。
【００４７】
尚、本実施形態の画像コード１１２は、例えば入力された画像データの画像と重畳されるものであって良い。例えば画像処理装置１００において、画像管理データベース２００で管理用情報と対応付けられた画像データを印刷した場合、画像データと、画像コードとが記録紙に印刷されても良い。
【００４８】
以下に、図５を参照して本実施形態の画像管理部３００の処理を具体的に説明する。以下の説明では、例えば画像処理装置１００にセキュリティレベル「高」が設定されており、予め設定されたセキュリティレベルの所定値は「中」とする。
【００４９】
この場合、画像処理装置１００に設定されたセキュリティレベルは、「中」より高い「高」である。したがって、書誌情報生成部３３０は、フォーマットテーブル２１０Ａの項目から、コード化項目テーブル２１０Ｂに設定された項目「９」〜「１２」以外の項目「１」〜「８」の情報を書誌情報１１１とする。
【００５０】
書誌情報１１１に含まれる項目「１」〜「８」に含まれる情報は、画像の縦幅、横幅、メモリの折り返し幅、画像サイズ等であり、主に画像データに関するデータである。
【００５１】
また、画像管理部３００は、設定項目取得部３４０により、コード化項目テーブル２１０Ａから、項目「９」〜「１２」を取得する。そして、画像管理部３００は、画像コード生成部３５０により、画像データに含まれる項目「９」〜「１２」に対応する情報を含む画像コード１１２を生成する。
【００５２】
すなわち、本実施形態の画像コード１１２には、画像データの格納場所を示すアドレス、画像データのファイル名、画像データを入力したユーザのユーザ名、画像データのファイル作成日時が含まれる。したがって、本実施形態の画像コード１１２には、ユーザ個人に関連する情報が含まれる。本実施形態の画像管理部３００は、書誌情報１１１と画像コードとを合わせて管理用情報１０とし、管理用情報１０と画像データとを対応付けて画像管理データベース２００へ格納する。
【００５３】
以上のことから、本実施形態では、コード化項目テーブル２１０Ｂに設定する項目を変更すれば、書誌情報１１１に含まれる情報と画像コード１１２に含まれる情報のそれぞれを変更することができる。
【００５４】
例えば、コード化項目テーブル２１０Ｂに設定する項目を項目「８」〜「１２」とすれば、書誌情報１１１に含まれる項目は項目「１」〜「７」となる。したがって、本実施形態では、フォーマットテーブル２１０Ａを変更せずに、書誌情報１１１や画像コード１１２に含まれる情報の項目を変更でき、画像データの管理に関する汎用性を向上させることができる。
【００５５】
さらに、本実施形態では、画像データから抽出された管理情報の一部を画像コード１１２とすることで、画像コード１１２に含まれる情報が平文の状態ではなくなる。したがって、本実施形態によれば、情報漏洩の危険性を低減することができ、機密性を向上させることができる。特に、本実施形態では、コード化項目テーブル２１０Ｂに、ユーザの個人情報に含まれる項目を設定することで、ユーザの個人情報が漏洩する危険性を低減できる。
【００５６】
（第二の実施形態）
以下に図面を参照して第二の実施形態について説明する。第二の実施形態は、入力された画像データから地紋が検出された場合、画像コードを生成する点が第一の実施形態と相違する。したがって、以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００５７】
図７は、第二の実施形態の画像管理部の機能構成を説明する図である。本実施形態の画像管理部３００Ａは、第一の実施形態の画像管理部３００のセキュリティ判定部３２０の代わりに、地紋検出部３７０を有する。
【００５８】
本実施形態の地紋検出部３７０は、画像データ取得部３１０が取得した画像データに含まれる地紋データを検出する。
【００５９】
また、本実施形態の画像コード生成部３５０Ａは、地紋検出部３７０により画像データから地紋データが検出されると、画像データの表示の禁止を指示するコードを含む画像コード１１２を生成する。
【００６０】
図８は、第二の実施形態の画像管理部の動作を説明するフローチャートである。本実施形態の画像管理部３００Ａは、画像データ取得部３１０により入力された画像データを取得する（ステップＳ８１）。
【００６１】
続いて画像管理部３００Ａは、地紋検出部３７０により、取得した画像データから地紋データを検出したか否かを判定する（ステップＳ８２）。ステップＳ８２において、地紋データが検出されない場合、画像管理部３００Ａは、フォーマットテーブル２１０Ａを参照し、フォーマットテーブル２１０Ａにしたがった管理情報を生成する（ステップＳ８３）。
【００６２】
ステップＳ８２において、地紋データが検出された場合、画像管理部３００Ａは、書誌情報生成部３３０により書誌情報１１１を生成し、画像コード生成部３５０により画像コード１１２を生成し、両者を対応付けて管理用情報１０とする（ステップＳ８４）。
【００６３】
以下にステップＳ８４の処理の詳細を説明する。
【００６４】
書誌情報生成部３３０の処理は、図６のステップＳ６５で説明した処理と同様であるから、説明を省略する。
【００６５】
本実施形態の画像コード生成部３５０Ａは、設定項目取得部３４０により、コード化項目テーブル２１０Ｂからコード化の対象とされた項目を取得し、画像コード生成部３５０により、取得した項目の情報を含む画像コード１１２を生成する。この際に、本実施形態の画像コード生成部３５０Ａは、例えば画像データの表示が禁止されていることを示す情報を画像コード１１２に含ませる。
【００６６】
続いて画像管理部３００Ａは、蓄積制御部３６０により、画像データと、管理情報又は管理用情報１０とを対応付けて画像管理データベース２００に格納する（ステップＳ８５）。
【００６７】
本実施形態では、画像コード１１２に画像データの表示が禁止されていることを示す情報を含ませることで、例えばこの画像データの表示要求を受け付けたとき、表示要求に対して、画像データが表示不可であることを通知することができる。
【００６８】
具体的には、例えば情報処理装置が画像管理データベース２００を参照し、地紋データを含む画像データをブラウザ等に表示させようとした場合、画像コード１１２にしたがって、画像データが表示禁止であることを通知するメッセージ等を情報処理装置に表示させる。
【００６９】
本実施形態では、以上のように、例えば地紋データが検出された画像に対しては、画像データの表示を禁止させる画像コード１１２を生成することで、機密性の高い画像データの漏洩を防止することができる。
【００７０】
さらに、本実施形態では、フォーマットテーブル２１０Ａの項目を変更することなく、画像コードにメッセージ等を含ませることができるため、画像データの管理に関する汎用性を向上させることができる。
【００７１】
（第三の実施形態）
以下に図面を参照して第三の実施形態について説明する。第三の実施形態は、入力された画像データにＯＣＲ（Optical Character Recognition）処理を実行した結果に応じて画像コードを生成する点が第一の実施形態と相違する。したがって、以下の第三の実施形態の説明では、第一の実施形態との相違点についてのみ説明し、第一の実施形態と同様の機能構成を有するものには第一の実施形態の説明で用いた符号と同様の符号を付与し、その説明を省略する。
【００７２】
図９は、第三の実施形態の画像管理部の機能構成を説明する図である。本実施形態の画像管理部３００Ｂは、第一の実施形態の画像管理部３００のセキュリティ判定部３２０の代わりに、ＯＣＲ判定部３８０を有する。
【００７３】
本実施形態のＯＣＲ判定部３８０は、画像データ取得部３１０が取得した画像データに対してＯＣＲ処理を実行する。そしてＯＣＲ判定部３８０は、ＯＣＲ処理の結果として得られた文字データに、コード化項目テーブル２１０Ｂに含まれる情報が含まれるか否かを判定する。ＯＣＲ判定部３８０の処理の詳細は後述する。
【００７４】
図１０は、第三の実施形態の画像管理部の動作を説明するフローチャートである。本実施形態の画像管理部３００Ｂは、画像データ取得部３１０により入力された画像データを取得する（ステップＳ１０１）。
【００７５】
続いて画像管理部３００Ｂは、ＯＣＲ判定部３８０により、取得した画像データに対してＯＣＲ処理を実行する（ステップＳ１０２）。続いてＯＣＲ判定部３８０は、ＯＣＲ処理により得られた文字データを解析する（ステップＳ１０３）。続いてＯＣＲ判定部３８０は、解析した結果、文字データに、コード化項目テーブル２１０Ｂに含まれる項目の情報が含まれるか否かを判定する（ステップＳ１０４）。
【００７６】
ステップＳ１０４において、該当する情報が含まれない場合、画像管理部３００Ｂは、フォーマットテーブル２１０Ａを参照し、フォーマットテーブル２１０Ａにしたがった管理情報を生成する（ステップＳ１０５）。
【００７７】
ステップＳ１０４において、該当する情報が含まれる場合、画像管理部３００Ｂは、書誌情報生成部３３０により書誌情報１１１を生成し、画像コード生成部３５０により画像コード１１２を生成し、両者を対応付けて管理用情報１０とする（ステップＳ１０６）。
【００７８】
そして、画像管理部３００Ｂは、蓄積制御部３６０により、画像データと管理情報又は管理用情報１０とを対応付けて画像管理データベース２００に格納する（ステップＳ１０７）。
【００７９】
尚、本実施形態では、コード化項目テーブル２１０Ｂに、個人名、住所、電話番号等の項目が含まれても良い。
【００８０】
以下に、例えば住所録等の個人情報が記載された原稿の画像データが画像処理装置１００に入力された場合について説明する。
【００８１】
本実施形態では、この画像データが入力されると、ＯＣＲ判定部３８０がＯＣＲ処理を実行し、画像データに含まれる個人名や住所等の文字データが抽出される。
【００８２】
本実施形態のコード化項目テーブル２１０Ｂには、個人名、住所、電話番号等の項目が含まれているため、画像管理部３００Ｂは、コード化項目テーブル２１０Ｂに設定された項目の情報を含む画像コード１１２を生成する。
【００８３】
したがって、本実施形態では、画像そのものに含まれる情報を画像コード１１２として保管することができる。したがって、本実施形態では、画像データに含まれる機密性の高い情報の漏洩のリスクを低減することができる。
【００８４】
尚、本実施形態では、ＯＣＲ処理の結果得られた文字データに、コード化項目テーブル２１０Ｂに設定された項目の情報が含まれる場合に、画像コード１１２を生成するものとしたが、これに限定されない。
【００８５】
本実施形態では、例えばＯＣＲ処理の結果得られた文字データに、コード化項目テーブル２１０Ｂに設定された項目以外の機密性が高いと思われる情報が含まれていた場合には、この情報も画像コード１１２に含ませても良い。この場合、コード化項目テーブル２１０Ｂに設定された項目以外に、ＯＣＲ判定部３８０に、機密性が高いと思われる情報の項目が設定されていても良い。
【００８６】
画像コード生成部３５０は、ＯＣＲ処理で得られた文字データに、コード化項目テーブル２１０Ｂに設定された項目の情報と、ＯＣＲ判定部３８０に設定された項目の情報の何れかが含まれる場合に、画像コード１１２を生成しても良い。
【００８７】
このように、本実施形態では、コード化項目テーブル２１０Ｂに設定された項目とは別に設定された項目も画像コード１１２に含ませることができる。すなわち、本実施形態では、フォーマットに新たな項目を変更することなく、画像データの管理用情報に含ませる項目を変更することができる。したがって、本実施形態によれば、画像の管理に関する汎用性を向上させることができる。
【００８８】
（第四の実施形態）
以下に図面を参照して第四の実施形態について説明する。第四の実施形態は、入力された画像データに画像コードが含まれる場合を考慮した点が第一の実施形態と相違する。したがって、以下の第四の実施形態の説明では、第一の実施形態との相違点についてのみ説明し、第一の実施形態と同様の機能構成を有するものには第一の実施形態の説明で用いた符号と同様の符号を付与し、その説明を省略する。
【００８９】
図１１は、第四の実施形態の画像管理部の機能構成を説明する図である。本実施形態の画像管理部３００Ｃは、第一の実施形態の画像管理部３００のセキュリティ判定部３２０の代わりに、コード検出部３９０を有する。
【００９０】
本実施形態のコード検出部３９０は、画像データ取得部３１０により取得した画像データに含まれる画像コードを検出する。コード検出部３９０により検出される画像コードは、例えばバーコードやＱＲコード等の二次元バーコードである。
【００９１】
図１２は、第四の実施形態の画像管理部の動作を説明するフローチャートである。本実施形態の画像管理部３００Ｃは、画像データ取得部３１０により入力された画像データを取得する（ステップＳ１２１）。
【００９２】
続いて画像管理部３００Ｃは、コード検出部３９０により、取得した画像データから画像コードを検出したか否かを判定する（ステップＳ１２２）。
【００９３】
ステップＳ１２２において、画像コードを検出した場合、画像管理部３００Ｃは、書誌情報生成部３３０により書誌情報１１１を生成し、検出した画像コードと書誌情報１１１とを対応付けて管理用情報とし（ステップＳ１２３）、後述するステップＳ１２５へ進む。
【００９４】
ステップＳ１２２において、画像コードが検出されなかった場合、画像管理部３００Ｃは、ステップＳ１２４へ進む。図１２のステップＳ１２４とステップＳ１２５の処理は、図６のステップＳ６５とステップＳ６６の処理と同様であるから、説明を省略する。
【００９５】
以上のように、本実施形態では、入力された画像データに画像コードが含まれる場合、その画像コードをデコードせずにそのまま管理用情報として保持する。
【００９６】
したがって、本実施形態では、入力された画像データに含まれる画像コードが示す情報が平文にされることがない。よって本実施形態によれば、画像コードに含まれる情報の機密性を高めることができる。また、本実施形態では、画像データに含まれる画像コードをフォーマットに従った管理情報とする際に、デコード処理等が省かれるため、処理の負荷を軽減できる。
【００９７】
（第五の実施形態）
以下に図面を参照して第五の実施形態について説明する。第五の実施形態では、画像管理部３００と画像管理データベース２００とを画像処理装置の外部に設けた点が第一の実施形態と相違する。したがって、以下の第五の実施形態の説明では、第一の実施形態との相違点についてのみ説明し、第一の実施形態と同様の機能構成を有するものには第一の実施形態の説明で用いた符号と同様の符号を付与し、その説明を省略する。
【００９８】
図１３は、第五の実施形態の画像管理システムの一例を示す図である。本実施形態の画像管理システム５００は、画像処理装置１００Ａと、画像管理サーバ４００とを有し、両者はネットワークを介して接続される。
【００９９】
本実施形態の画像管理サーバ４００は、画像管理部３００と画像管理データベース２００とを有する。本実施形態の画像管理システム５００では、画像処理装置１００Ａにおいて画像データが入力されると、画像処理装置１００Ａは、この画像データを画像管理サーバ４００へ送信する。
【０１００】
画像管理サーバ４００は、画像データを受信すると、画像管理部３００による処理を実行し、画像管理データベース２００に画像データと管理用情報１０とを対応付けて格納する。
【０１０１】
本実施形態では、以上のように画像管理サーバ４００で画像データと管理用情報１０の管理を行うとこで、画像処理装置１００Ａの処理の負荷を低減できる。
【０１０２】
尚、本実施形態の画像処理装置１００Ａは、画像管理データベース２００を有していても良い。この場合、画像管理サーバ４００は、画像管理部３００の処理の結果として得られた管理用情報１０と画像データとを画像処理装置１００Ａへ送信しても良い。また、画像データは画像処理装置１００Ａ内に保持されている場合には、画像管理サーバ４００は、管理用情報１０のみを画像処理装置１００Ａへ送信すれば良い。この場合、画像処理装置１００Ａは、自機に保持されている画像データと、画像管理サーバ４００から受信した管理用情報１０とを対応付けて画像管理データベース２００へ格納すれば良い。
【０１０３】
また、画像管理システム５００の構成は、図１３に示す例に限定されない。例えば画像管理システムは、画像管理サーバ４００が画像管理データベース２００のみを有していても良い。この場合、画像処理装置１００Ａにおいて、画像データと管理用情報１０との対応付けを行い、画像データと管理用情報１０とを画像管理サーバ４００へ送信すれば良い。
【０１０４】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【先行技術文献】
【特許文献】
【０１０５】
【特許文献１】特許第４７９５１３３号公報
【図１】
2016111558.tif 000003
【図２】
2016111558.tif 000004
【図３】
2016111558.tif 000005
【図４】
2016111558.tif 000006
【図５】
2016111558.tif 000007
【図６】
2016111558.tif 000008
【図７】
2016111558.tif 000009
【図８】
2016111558.tif 000010
【図９】
2016111558.tif 000011
【図１０】
2016111558.tif 000012
【図１１】
2016111558.tif 000013
【図１２】
2016111558.tif 000014
【図１３】
2016111558.tif 000015